【事件の表示】
　特願２００４−２０３４４３「コンバイン」拒絶査定不服審判事件〔平成１７年　３月１７日出願公開，特開２００５−　６５６８９〕について，次のとおり審決する。
【結　論】
　本件審判の請求は，成り立たない。
【理　由】
第１　手続の経緯  
　本願は，平成１５年８月２７日に出願した特願２００３−３０３５６６号の一部を平成１６年７月９日に新たな特許出願としたものであって，平成１９年５月１５日付けで平成１８年１２月２８日付けの手続補正に対する補正の却下の決定がなされるとともに，同日付けで拒絶査定がなされ，これに対し，同年６月２１日付けで拒絶査定を不服とする審判請求がなされるとともに，同年７月２０日付けで手続補正がなされたものであって，その後，平成２０年１１月７日付けで，審査官による前置報告書の内容を提示するとともに請求人の意見を求める審尋を行ったところ，平成２１年１月８日付けで回答書が提出されたものである。 
　  
　  
第２　補正の却下の決定  
［補正の却下の決定の結論］  
　平成１９年７月２０日付けの手続補正（以下，「本件補正」という。）を却下する。  
　  
［理由］  
１　本件補正  
　本件補正は，特許請求の範囲について，補正前（平成１８年７月２４日付けの手続補正参照。）に，  
「　【請求項１】
　脱穀部（１２）と、該脱穀部（１２）で脱穀した穀粒を揺動選別・風選別する選別部（１７）とを有し、該脱穀部（１２）に扱胴（２１）と、送塵口（２３）に受口が連通して該扱胴（２１）の脱粒物を再処理する送塵口処理胴（２２）とを備えたコンバインであって、該扱胴（２１）の後部の処理室（２９）内に、該送塵口処理胴（２２）を扱胴（２１）と平行に前後方向に配設し、該送塵口処理胴（２２）の下方に、該送塵口処理胴（２２）から処理胴網（２４）を介して落下する処理物を受け、該処理物を該送塵口処理胴（２２）による脱粒物の送り方向とは反対方向に搬送して、前記選別部（１７）の揺動選別装置（２７）上に排出する搬送体（５０）を配設し、該搬送体（５０）は、前記処理室（２９）の下部に、正面視で漏斗状の受樋（５２）を上方を開放した状態で前後方向に配設し、該受樋（５２）内に螺旋状体のスクリュー（５３）を配置して構成し、該搬送体（５０）は搬送始端部を、側面視において前記送塵口処理胴（２２）の処理胴網（２４）の後端下方に配置し、その搬送終端部を前記扱胴（２１）の終端部より機体進行方向前側に配置して、前記扱胴（２１）の後部と前後方向で一部を重複して配置したことを特徴とするコンバイン。
　　【請求項２】
　請求項１記載のコンバインにおいて、該搬送体（５０）を機体後方に向けて脱着可能に構成し、該上記搬送体（５０）の駆動軸（５５）の後端を軸受支持する軸受枠（１１０）と共に着脱を行なうことを特徴とするコンバイン。」とあったものを，  
　  
「　【請求項１】
　脱穀部（１２）と、該脱穀部（１２）で脱穀した穀粒を揺動選別・風選別する選別部（１７）とを有し、該脱穀部（１２）に扱胴（２１）と、送塵口（２３）に受口が連通して該扱胴（２１）の脱粒物を再処理する送塵口処理胴（２２）とを備えたコンバインであって、該扱胴（２１）の後部の処理室（２９）内に、該送塵口処理胴（２２）を扱胴（２１）と平行に前後方向に配設し、該送塵口処理胴（２２）の下方に、該送塵口処理胴（２２）から処理胴網（２４）を介して落下する処理物を受け、該処理物を該送塵口処理胴（２２）による脱粒物の送り方向とは反対方向に搬送して、前記選別部（１７）の揺動選別装置（２７）上に排出する搬送体（５０）を配設し、該搬送体（５０）は、前記処理室（２９）の下部に、正面視で漏斗状の受樋（５２）を上方を開放した状態で前後方向に配設し、該受樋（５２）内に螺旋状体のスクリュー（５３）を配置して構成し、該搬送体（５０）は搬送始端部を、側面視において前記送塵口処理胴（２２）の処理胴網（２４）の後端下方に配置し、その搬送終端部を前記扱胴（２１）の終端部より機体進行方向前側に配置して、前記扱胴（２１）の後部と前後方向で一部を重複して配置し、該搬送体（５０）の前方は、該スクリュー（５３）の駆動軸（５５）の前端部にスプライン嵌入部（５５ａ）を形成し、該スプライン嵌入部（５５ａ）が嵌入・分離可能な嵌合孔（１０７ａ）を軸芯部に具備する第２スプロケット（１０７）を回転可能に配置し、該第２スプロケット（１０７）と、前記送塵口処理胴（２２）の駆動軸（３４）から中間軸（１０３）を介して動力伝達される第１スプロケット（１０６）との間を、チェーン（１０８）を介して連動し、該搬送体（５０）を機体後方に向けて脱着可能に構成し、該駆動軸（５５）の前端部は第２スプロケット（１０７）からスプライン嵌入部（５５ａ）で分離し、該上記搬送体（５０）の駆動軸（５５）の後端は、軸受支持する軸受枠（１１０）と共に、前記漏斗状の受樋（５２）の端縁から、着脱を行なうことを特徴とするコンバイン。」と補正するものである。
　  
　上記補正は，補正前の請求項１を削除し，請求項２を請求項１に繰り上げるとともに，「搬送体（５０）」の支持及び着脱に係る構成について，「搬送体（５０）の前方は、スクリュー（５３）の駆動軸（５５）の前端部にスプライン嵌入部（５５ａ）を形成し、該スプライン嵌入部（５５ａ）が嵌入・分離可能な嵌合孔（１０７ａ）を軸芯部に具備する第２スプロケット（１０７）を回転可能に配置し、該第２スプロケット（１０７）と、送塵口処理胴（２２）の駆動軸（３４）から中間軸（１０３）を介して動力伝達される第１スプロケット（１０６）との間を、チェーン（１０８）を介して連動し、該搬送体（５０）を機体後方に向けて脱着可能に構成し、該駆動軸（５５）の前端部は第２スプロケット（１０７）からスプライン嵌入部（５５ａ）で分離し、該上記搬送体（５０）の駆動軸（５５）の後端は、軸受支持する軸受枠（１１０）と共に、漏斗状の受樋（５２）の端縁から、着脱を行なうこと」を限定するものであるから，本件補正は，平成１８年法律第５５号改正附則第３条第１項によりなお従前の例によるとされる同法による改正前の特許法（以下，「改正前特許法」という。）第１７条の２第４項第２号の特許請求の範囲の減縮を目的とする補正事項を含むものである。  
　  
　そこで，本件補正後の上記請求項１に係る発明（以下，「補正発明」という。）が特許出願の際独立して特許を受けることができるものであるか，すなわち，補正発明が，改正前特許法第１７条の２第５項において準用する同法第１２６条第５項の規定に適合するかについて，以下に検討する。  
　  
２　刊行物及び刊行物に記載された事項  
（１）原査定の拒絶の理由に引用され，本願の出願前に頒布された刊行物である，特開２００１−２９９０６１号公報（以下，「刊行物１」という。）には，「脱穀装置」について，図面とともに，次の事項が記載されている。
（１ａ）「【請求項１】 扱室から受け継いだ排塵物を、揺動選別棚の選別移送方向と同じ方向に移送しながら排塵処理する第一排塵処理室を設け、該第一排塵処理室の下側には、漏下部材で仕切った第二排塵処理室を設け、該第二排塵処理室は、前記第一排塵処理室から漏下した排塵物を、前記揺動選別棚の選別移送方向と逆の方向に移送して前記揺動選別棚に排塵する構成とした脱穀装置。」  
（１ｂ）「【０００１】  
【発明の属する技術分野】本発明は、脱穀装置に関し、農業機械の技術分野に属する。」
（１ｃ）「【０００７】  
【発明の効果】本発明は、以上述べたように構成したから、従来型の課題を解消して排塵処理を充分に行なうことができると共に、機外ロスを著しく低減することができた特徴を有するものである。・・・」  
（１ｄ）「【０００８】  
【発明の実施の形態】以下、本発明の実施例を図面に基づいて具体的に説明する。まず、脱穀装置８は、図１の破断した側面図および図４の平面視で内部構成が解るように、扱胴９を内装軸架した扱室１を上側に配置し、その下側には揺動可能に架設した揺動選別棚２を設け、更に、その下方には選別方向の上手側から順に、圧風唐箕１０と、一番移送螺旋１１と、二番移送螺旋１２とを配置した選別室１３を設けて構成している。」  
（１ｅ）「【００１１】そして、第一排塵処理室３は、図１および図４に示すように、始端部に前述した連通口２０を設けて扱室１と連通し、その扱室１より後方に延長して設け、排塵処理胴２１を内装軸架して排塵処理を行なうように構成している。・・・」  
（１ｆ）「【００１２】そして、第二排塵処理室５は、図１および図３に示すように、上記第一排塵処理室３の下側に配置しており、その第一排塵処理室３とは漏下部材４によって仕切り、排塵物が漏下する構成としている。そして、第二排塵処理室５は、処理螺旋胴２４を内装軸架して設け、上側の排塵室３から漏下してきた排塵物を選別方向の上手側（揺動選別棚２の選別移送方向の逆方向）に処理しながら移送して、上手側に排塵口２５を開口して揺動選別棚２上に排塵する構成としている。」 
（１ｇ）「【００１３】そして、漏下部材４は、実施例の場合、図１および図３に示すように、目合いの大きい漏下枠としているが、大き目の漏下網にすることもできる。・・・」
（１ｈ）「【００１５】そして、伝動ギヤケ−ス３０は、図１および図４に示すように、二番処理胴２６と第二処理螺旋胴２９との間に設けて伝動可能に構成しており、排塵処理胴２１と処理螺旋胴２４とが一体に伝動される構成となっている。・・・」  
（１ｉ）図４には，扱胴９の後部の後部に，排塵処理胴２１を内装軸架して排塵処理を行なう第一排塵処理室３と，第一排塵処理室３の下側に，処理螺旋胴２４を内装軸架した第二排塵処理室５を配置し，排塵処理胴２１を扱胴９と平行に前後方向に配設したことが示されている。
（１ｊ）図１及び図３には，処理螺旋胴２４は，螺旋状のスクリューを備えており，正面視で漏斗状かつ上方を開放した状態で前後方向に配設された第二排塵処理室５の樋状部分内に，螺旋状のスクリューを配置して構成したことが示されている。
（１ｋ）図１には，処理螺旋胴２４は搬送始端部を，側面視において排塵処理胴２１の漏下部材４の後部下方に配置し，その搬送終端部を扱胴９の終端部より機体進行方向前側に配置して，扱胴９の後部と前後方向で一部を重複して配置したこと，及び，排塵処理胴２１と処理螺旋胴２４の前部で，排塵処理胴２１の駆動軸と処理螺旋胴２４の駆動軸との間に，伝動ギヤケ−ス３０を設けること，が示されている。
　そして，上記記載事項（１ａ）ないし（１ｋ）に記載された内容並びに技術常識を総合すると，刊行物１には，次の発明（以下，「引用発明」という。）が記載されているものと認められる。  
（引用発明）  
「扱胴９を内装軸架した扱室１と，その下方には選別室１３を設けて構成し，始端部に連通口２０を設けて扱室１と連通し，排塵処理を行なう排塵処理胴２１とを備えた，脱穀装置を有する農業機械であって， 
　扱胴９の後部の後部に，排塵処理胴２１を内装軸架して排塵処理を行なう第一排塵処理室３と，第一排塵処理室３の下側に，処理螺旋胴２４を内装軸架した第二排塵処理室５を配置し，排塵処理胴２１を扱胴９と平行に前後方向に配設し，
　第一排塵処理室３と第二排塵処理室５とは大き目の漏下網である漏下部材４によって仕切られ，排塵物が漏下する構成であり，該漏下部材４から漏下してきた排塵物を選別方向の上手側（揺動選別棚２の選別移送方向の逆方向）に処理しながら移送して，揺動選別棚２上に排塵する処理螺旋胴２４を配設し，
　該処理螺旋胴２４は，螺旋状のスクリューを備えており，正面視で漏斗状かつ上方を開放した状態で前後方向に配設された第二排塵処理室５の樋状部分内に，螺旋状のスクリューを配置して構成し，
　処理螺旋胴２４は搬送始端部を，側面視において排塵処理胴２１の漏下部材４の後部下方に配置し，その搬送終端部を扱胴９の終端部より機体進行方向前側に配置して，扱胴９の後部と前後方向で一部を重複して配置し，
　排塵処理胴２１と処理螺旋胴２４の前部で，排塵処理胴２１の駆動軸と処理螺旋胴２４の駆動軸との間に，伝動ギヤケ−ス３０を設ける，脱穀装置を有する農業機械。」  
　  
（２）原査定の拒絶の理由に引用され，本願の出願前に頒布された刊行物である，特開２００２−２９１３２５号公報（以下，「刊行物２」という。）には，「脱穀機における処理胴構造」について，図面とともに，次の事項が記載されている。 
（２ａ）「【００１１】そして処理胴軸９は、その先端部が上記べベルギヤ２４に着脱自在にスライド嵌合可能となっている。すなわち、図６で示すように、べベルギヤ２４のボス部２４aを処理室７側に延長することにより、回転軸２２の軸端から突出したボス部２４aの延長部分に、処理胴軸９の先端に設けたはめ合い部９aが着脱自在にスライド嵌合可能となっている。また、処理胴軸９の後端は、処理室７の終端部ブラケット２８に設けたベアリング２９で支持されており、上記ブラケット２８が処理室フレーム３０にボルト３１で固定されていて、ボルト３１を外して処理胴８をスライドさせれば、処理胴軸９がべベルギヤ２４から外れて処理胴８を取出すことができるようになっている。３２は処理胴軸９とべベルギヤ２４との軸方向のスライドのみを許容するキー装置である。」
（２ｂ）「【００１５】また、処理胴８をスライドさせれば、処理胴軸９の先端が伝動ギヤケース１８内のベベルギヤ２４に着脱自在に嵌合するので、メンテナンス作業等を行うに当たり、いちいち工具等を用いることなく容易に処理胴８を着脱することができる。」
　
３　対比  
　補正発明と引用発明を対比すると，引用発明の「扱室１」は補正発明の「脱穀部」に，以下同様に，「選別室１３」は「選別部」に，「連通口２０」は「送塵口／受口」に，「排塵処理胴２１」は「送塵口処理胴」に，「第一排塵処理室３」及び「第二排塵処理室５」は「処理室」に，「大き目の漏下網である漏下部材４」は「処理胴網」に，「揺動選別棚２」は「揺動選別装置」に，「処理螺旋胴２４」は「搬送体」に，「第二排塵処理室５の樋状部分」は「受樋」に，「螺旋状のスクリュー」は「螺旋状体のスクリュー」に，「処理螺旋胴２４の駆動軸」は「スクリューの駆動軸」に，「排塵処理胴２１の駆動軸」は「送塵口処理胴の駆動軸」に，それぞれ相当する。  
　また，搬送体の搬送始端部の位置について，引用発明の「排塵処理胴２１の漏下部材４の後部下方」と補正発明の「送塵口処理胴の処理胴網の後端下方」とは，「送塵口処理胴の処理胴網の後方下方」である点で共通している。
　また，引用発明の「脱穀装置を有する農業機械」と補正発明の「コンバイン」とは，「脱穀装置付農作業機」である点で共通している。  
　してみれば，両者の一致点および相違点は，次のとおりである。 　  
　  
＜一致点＞  
「脱穀部と，該脱穀部で脱穀した穀粒を揺動選別・風選別する選別部とを有し，該脱穀部に扱胴と，送塵口に受口が連通して該扱胴の脱粒物を再処理する送塵口処理胴とを備えた脱穀装置付農作業機であって，
　該扱胴の後部の処理室内に，該送塵口処理胴を扱胴と平行に前後方向に配設し，該送塵口処理胴の下方に，該送塵口処理胴から処理胴網を介して落下する処理物を受け，該処理物を該送塵口処理胴による脱粒物の送り方向とは反対方向に搬送して，前記選別部の揺動選別装置上に排出する搬送体を配設し，
　該搬送体は，前記処理室の下部に，正面視で漏斗状の受樋を上方を開放した状態で前後方向に配設し，該受樋内に螺旋状体のスクリューを配置して構成し，
　該搬送体は搬送始端部を，側面視において前記送塵口処理胴の処理胴網の後方下方に配置し，その搬送終端部を前記扱胴の終端部より機体進行方向前側に配置して，前記扱胴の後部と前後方向で一部を重複して配置した，脱穀装置付農作業機。」  
　  
＜相違点１＞  
　搬送体の搬送始端部の位置が，補正発明は「送塵口処理胴の処理胴網の後端下方」であるのに対し，引用発明は「排塵処理胴２１の漏下部材４の後部下方」であるものの，後端といえるかどうか明らかでない点。  
＜相違点２＞  
　送塵口処理胴と搬送体への伝動構造が，補正発明は「搬送体の前方は、該スクリューの駆動軸の前端部に・・・第２スプロケットを回転可能に配置し、該第２スプロケットと、前記送塵口処理胴の駆動軸から中間軸を介して動力伝達される第１スプロケットとの間を、チェーンを介して連動」する構造であるのに対し，引用発明は，排塵処理胴２１の駆動軸と処理螺旋胴２４の駆動軸との間に，伝動ギヤケ−ス３０を設けているものの，その詳細は明らかでない点。 
＜相違点３＞ 
　搬送体の着脱構造が，補正発明は「搬送体の前方は、該スクリューの駆動軸の前端部にスプライン嵌入部を形成し、該スプライン嵌入部が嵌入・分離可能な嵌合孔を軸芯部に具備する第２スプロケットを回転可能に配置し、・・・該搬送体を機体後方に向けて脱着可能に構成し、該駆動軸の前端部は第２スプロケットからスプライン嵌入部で分離し、該上記搬送体の駆動軸の後端は、軸受支持する軸受枠と共に、前記漏斗状の受樋の端縁から、着脱を行なう」構造であるのに対し，引用発明は，処理螺旋胴２４が着脱可能かどうか不明である点。 
＜相違点４＞
　脱穀装置付農作業機が，補正発明は「コンバイン」であるのに対し，引用発明は「脱穀装置を有する農業機械」であって，コンバインであるか否か不明である点。  
　  
４　判断  
　まず，相違点１について検討する。
　搬送体の搬送始端部の位置について，送塵口処理胴の処理網から漏下する漏下物は，その全長にわたって漏下する可能性があるものであるから，漏下物をもれなく回収するためには，送塵口処理胴の処理網の全長にわたって搬送体を設ける必要がある。そして，このことは当業者にとって自明な事項である。
　したがって，引用発明において，漏下物をもれなく回収するために，送塵口処理胴の処理網の全長にわたって搬送体を設けること，すなわち，搬送体の搬送始端部を，送塵口処理胴の処理胴網の後端下方に設けることは，当業者が容易になし得たことである。
　次に，相違点２について検討する。
　伝動構造として，どのような動力伝達機構を採用するかは，必要とされる耐久性やコスト，駆動軸の配置や回転方向等を考慮して，当業者が適宜選択し得たものである。そして，伝動経路に適宜の中間軸を設けたり，軸に適宜のスプロケットを配置してそれらをチェーンを介して動力伝達したりすることが，いずれも例を挙げるまでもなく周知技術であることを考慮すれば，引用発明の伝動構造として，処理螺旋胴２４の駆動軸（スクリューの駆動軸）の前端部に適宜のスプロケットａ（第２スプロケット）を回転可能に配置し，排塵処理胴２１の駆動軸（送塵口処理胴の駆動軸）から適宜の中間軸を介して適宜のスプロケットｂ（第１スプロケット）に動力伝達し，このスプロケットａ（第２スプロケット）とスプロケットｂ（第１スプロケット）との間をチェーンを介して連動した構造を採用することは，当業者が容易になし得たことである。
　さらに，相違点３について検討する。
　刊行物２には，処理胴軸９（スクリューの駆動軸）の先端にはめ合い部９a（スプライン嵌入部）を形成し，ベベルギヤ２４のボス部２４aの延長部分に，はめ合い部９a（スプライン嵌入部）が着脱自在にスライド嵌合可能となる部分を設け，処理胴軸９（スクリューの駆動軸）がべベルギヤ２４から外れて処理胴８（スクリュー）を取出すことができるように構成し，処理胴軸９（スクリューの駆動軸）の後端は，処理室７（受樋）の終端部ブラケット２８（軸受枠）に設けたベアリング２９で支持されており，上記ブラケット２８（軸受枠）とともに，処理室７（受樋）から着脱可能とすることにより，メンテナンス性を向上させる技術が開示されている。
　引用発明においても，排塵処理胴２１や処理螺旋胴２４が着脱自在である方がメンテナンス性が高いのは明らかであるから，引用発明の処理螺旋胴２４の駆動軸に刊行物２記載の技術を採用して，処理螺旋胴２４を着脱可能とすることにより，メンテナンス性を向上させることは，当業者が容易になし得たことである。そして，上記相違点２において検討したように，処理螺旋胴２４の駆動軸に適宜のスプロケットを設けて動力伝達することは当業者が容易になし得たことであって，このような軸の端部にスプロケットを設けた伝動構造を有するものにおいて，上記刊行物２記載の技術を適用しようとすれば，処理螺旋胴２４の駆動軸とスプロケットとの間をスライド嵌合可能な構造とすることになるのであるから，引用発明に上記刊行物２記載の技術を適用することにより，補正発明の上記相違点３に係る構成とすることは，当業者が容易になし得たことである。
　最後に，相違点４について検討する。
　脱穀装置付農作業機として，コンバインは例を挙げるまでもなく周知であり，引用発明の「脱穀装置を有する農業機械」として，コンバインを採用することは，当業者が容易になし得たことである。  
　また，補正発明の作用効果についてみても，引用発明，刊行物２記載の技術及び周知技術から予測し得たものである。  
　したがって，補正発明は，引用発明，刊行物２記載の技術及び周知技術に基づいて，当業者が容易に発明をすることができたものであるから，特許法第２９条第２項の規定により特許出願の際独立して特許を受けることができないものである。  
　  
５　むすび  
　以上のとおり，本件補正は，改正前特許法第１７条の２第５項において準用する同法第１２６条第５項の規定に適合しないものであり，同法第１５９条第１項において読み替えて準用する同法第５３条第１項の規定により却下すべきものである。  
　よって，［補正の却下の決定の結論］のとおり決定する。  
　  
　  
第３　本願発明について  
１　本願発明  
　平成１９年７月２０日付けの手続補正は上記のとおり却下されたので，本願の請求項１に係る発明（以下，「本願発明」という。）は，平成１８年７月２４日付けの手続補正書により補正された特許請求の範囲の請求項１に記載された事項により特定される，上記「第２」の「１」に記載したとおりのものである。  
　
２　刊行物及び刊行物に記載された事項  
　原査定の拒絶の理由に引用された刊行物とそれに記載された事項は，上記「第２」の「２」に記載したとおりである。　  
　  
３　対比・判断  
　本願発明は，上記「第２」にて検討した補正発明の「搬送体」の支持及び着脱に係る構成について，「搬送体の前方は、スクリューの駆動軸の前端部にスプライン嵌入部を形成し、該スプライン嵌入部が嵌入・分離可能な嵌合孔を軸芯部に具備する第２スプロケットを回転可能に配置し、該第２スプロケットと、送塵口処理胴の駆動軸から中間軸を介して動力伝達される第１スプロケットとの間を、チェーンを介して連動し、該搬送体を機体後方に向けて脱着可能に構成し、該駆動軸の前端部は第２スプロケットからスプライン嵌入部で分離し、該上記搬送体の駆動軸の後端は、軸受支持する軸受枠と共に、漏斗状の受樋の端縁から、着脱を行なうこと」との限定を削除したものである。
　そうすると，本願発明を特定する事項をすべて含み，さらに限定したものに相当する補正発明が，上記「第２」の「４」に記載したとおり，引用発明，刊行物２記載の技術及び周知技術に基づいて当業者が容易に発明をすることができたものであるから，本願発明も，同様の理由により，引用発明，刊行物２記載の技術及び周知技術に基づいて，当業者が容易に発明をすることができたものである。 
　
　なお，請求人は，平成２１年１月８日付けの回答書において補正案を提示しているが，この補正案により拒絶理由が解消されるものではない。 
　
４　むすび  
　したがって，本願発明は，引用発明，刊行物２記載の技術及び周知技術に基づいて，当業者が容易に発明をすることができたものであって，特許法第２９条第２項の規定により特許を受けることができないから，本願の他の請求項に係る発明について検討するまでもなく，本願は拒絶すべきものである。  
　よって，結論のとおり審決する。